(57)【要約】【課題】ネジ穴のネジ山が潰れたり、ネジ穴の周囲にクレージングが発生することなく、ファンガードの取り付けや取り外しが容易に行うことができる空気調和機の室内機を提供する。【解決手段】送風機２の吸引側を覆うように設けられ、複数のワイヤを直交させて格子状に構成されたファンガード７を備え、ファンガード７の上部には、上方に突出する２つの固定部が設けられ、ファンガード７の下部には、下方に突出する２つの差込部が設けられ、固定部は、室内機本体１に設けられた板金部品９にネジで取り付けられ、差込部は、室内機本体１の補強板金１０に設けられた袋形状の支持部１０ａに取り外し可能に嵌め込まれている。【選択図】図１
2014052096.tif 000002
【特許請求の範囲】
【請求項１】
送風機及び熱交換器を有し、前記送風機により吸気口から吸引された空気を前記熱交換器と熱交換して吹出口から吹き出す室内機本体と、
前記送風機の吸引側を覆うように設けられ、複数のワイヤを直交させて格子状に構成されたファンガードとを備え、
前記ファンガードの上部には、上方に突出する少なくとも２つの固定部が設けられ、前記ファンガードの下部には、下方に突出する少なくとも２つの差込部が設けられ、
前記固定部は、前記室内機本体に設けられた板金部品にネジで取り付けられ、前記差込部は、前記室内機本体の補強板金に設けられた袋形状の支持部に取り外し可能に嵌め込まれていることを特徴とする空気調和機の室内機。
【請求項２】
前記ファンガードの上部には、上方に突出する逆Ｕ字形状の引っ掛け部が設けられ、
前記板金部品には、前記引っ掛け部を引っ掛けるための切起し片が設けられていることを特徴とする請求項１記載の空気調和機の室内機。
【請求項３】
前記固定部は、１本のワイヤを略中央から折り返すように折り曲げて逆Ｕ字状に形成されていることを特徴とする請求項１又は２記載の空気調和機の室内機。
【請求項４】
前記差込部は、１本のワイヤを直角に折り曲げた後、さらに折り返すように直角に折り曲げてＵ字状に形成されていることを特徴とする請求項１乃至３の何れか一項に記載の空気調和機の室内機。
【発明の詳細な説明】
【技術分野】
【０００１】
本発明は、送風機の吸引側にファンガードを備えた空気調和機の室内機に関するものである。
【背景技術】
【０００２】
従来の空気調和機の中には、ワイヤを格子状に組み合わせて構成されたファンガードで送風機の吸引側を覆ったものがある。例えば、そのファンガードを構成する複数のワイヤのうち、一部のワイヤの下端部が吸気口の下側縁部に挿入され、同ワイヤの上端部が吸気口の上側縁部にネジによって固定されている(例えば、特許文献１参照)。
【０００３】
また、ファンガードではないが、吸込グリルの下辺枠の凸部をユニットの折曲部の凹部に挿入すると共に、取付穴に取付ネジを挿通しユニットに固定するというものもある(例えば、特許文献２参照)。
【先行技術文献】
【特許文献】
【０００４】
【特許文献１】実開平２−１１４８２６号公報
【特許文献２】実公昭６２−２７７７８号公報
【発明の概要】
【発明が解決しようとする課題】
【０００５】
しかしながら、特許文献１に記載のファンガードは、吸気口の下側縁部に挿入されたワイヤが固定されておらず、特に左右方向の位置がばらつくため、取付作業を容易に行えないという課題がある。また、前述したように、吸気口の下側縁部に挿入されたワイヤが固定されていないため、空気調和機の運転中に、振動音が発生する虞があった。
【０００６】
また、特許文献２に示される構造は、プラスチック部品にネジ穴を設けているが、プラスチック部品のネジ穴は、クレージングの発生やネジ山が潰れ易いという課題がある。
【０００７】
本発明は、前記のような課題を解決するためになされたもので、ネジ穴のネジ山が潰れたり、ネジ穴の周囲にクレージングが発生することなく、ファンガードの取り付けや取り外しが容易に行うことができ、運転中のファンガードによる振動音を抑えることができる空気調和機の室内機を提供することを目的とする。
【課題を解決するための手段】
【０００８】
本発明に係る空気調和機の室内機は、送風機及び熱交換器を有し、送風機により吸引された空気を熱交換器と熱交換して吹出口から吹き出す室内機本体と、送風機の吸引側を覆うように設けられ、複数のワイヤを直交させて格子状に構成されたファンガードとを備え、ファンガードの上部には、上方に突出する少なくとも２つの固定部が設けられ、ファンガードの下部には、下方に突出する少なくとも２つの差込部が設けられ、固定部は、室内機本体に設けられた板金部品にネジで取り付けられ、差込部は、室内機本体の補強板金に設けられた袋形状の支持部に取り外し可能に嵌め込まれている。
【発明の効果】
【０００９】
本発明においては、ファンガードの上部には、上方に突出する少なくとも２つの固定部が設けられ、ファンガードの下部には、下方に突出する少なくとも２つの差込部が設けられ、固定部は、室内機本体に設けられた板金部品にネジで取り付けられ、差込部は、室内機本体の補強板金に設けられた袋形状の支持部に取り外し可能に嵌め込まれている。このように、ファンガードを板金部品にネジ固定する仕様とすることにより、プラスチック部品にネジ固定していた従来のファンガードと比べ、ネジ穴のネジ山が潰れたり、クレージングの発生がなくなる。このため、容易にファンガードを取り付けたり取り外すことが可能になり、室内機における品質の改善を図ることができる。
また、ファンガードの下部に設けられた差込部を袋形状の支持部に嵌め込むようにしているので、室内機の運転中のファンガードによる振動音を抑えることができる。
【図面の簡単な説明】
【００１０】
【図１】実施の形態に係る空気調和機の室内機の吸気口側を分解して示す斜視図。
【図２】図１に示す板金部品の拡大斜視図。
【図３】図１に示すファンガード及び補強板金の拡大斜視図。
【発明を実施するための形態】
【００１１】
図１は実施の形態に係る空気調和機の室内機の吸気口側を分解して示す斜視図、図２は図１に示す板金部品の拡大斜視図、図３は図１に示すファンガード及び補強板金の拡大斜視図である。
【００１２】
本実施の形態の空気調和機の室内機は、例えば床面に設置される自立型で、送風機２及び熱交換器（図示せず）を有し、送風機２により吸気口４ａから吸引された空気を熱交換器と熱交換して吹出口３から吹き出す室内機本体１と、送風機２の吸引側を覆うように設けられたファンガード７とを有している。室内機本体１に設けられた熱交換器は、冷房運転時に蒸発器として作用し、暖房運転時に凝縮器として作用する。
【００１３】
室内機本体１の前面上部に設けられた吹出口３には、風向を上下・左右に可変する羽板３ａが取り付けられている。室内機本体１の前面下部には、格子状の吸気口４ａを有するフィルターカバー４が取り外し可能に取り付けられている。また、室内機本体１の前面には、コントロールパネル５が設置されている。
【００１４】
フィルターカバー４と送風機２との間には、室内機本体１を前方から見て、フィルター６及びファンガード７が順に配置されている。ファンガード７は、後述するが、電気品箱８に取り付けられた板金部品９と室内機本体１の補強板金１０に設けられた袋形状の支持部１０ａとにより支持されている。電気品箱８には、室内機本体１の回路基板が収納されている。
【００１５】
板金部品９は、例えば図２に示すように、折り曲げ加工により長形状の板金を不等辺アングル状に折り曲げてなっている。板金部品９の水平板９ａ（フランジ面）には、エンボス加工により、大きさの異なる凹部９ｂが成型されている。板金部品９の垂直板９ｃには、２つのネジ穴９ｄと、そのネジ穴９ｄの間に切り起こしの曲げ加工により切り起こされた切起し片９ｅが設けられている。
【００１６】
電気品箱８の下面には、大きさの異なる凹部９ｂにそれぞれ嵌入する凸部が設けられている。つまり、板金部品９を図２に示すような向きで電気品箱８の下面に当てた場合、板金部品９の凹部９ｂに電気品箱８の凸部が嵌り込み、板金部品９を逆向きにした場合は、板金部品９の凹部９ｂに電気品箱８の凸部が嵌らないようにしている。これは、製造ラインにおいて、板金部品９の取り付け向きを誤らないようにするためである。電気品箱８と板金部品９は、例えばスポット溶接にて互いに接続されている。
【００１７】
支持部１０ａは、室内機本体１の補強板金１０を絞り加工により袋状に成型したもので、上部に補強板金１０の長手方向に延びる長方形状の開口が設けられている（図３参照）。その補強板金１０は、室内機本体１にネジで固定されている。
【００１８】
ファンガード７は、複数のワイヤを直交させて格子状に構成され、前述したように送風機２の吸引側を覆うように設けられている。ファンガード７の上部には、上方に突出する例えば２つの固定部７ａ及び逆Ｕ字形状の引っ掛け部７ｂが設けられ、ファンガード７の下部には、下方に突出する例えば２つの差込部７ｃが設けられている。
【００１９】
２つの固定部７ａは、例えば図３に示すように、１本のワイヤを略中央から折り返すように折り曲げて逆Ｕ字状に形成されている。また、引っ掛け部７ｂは、１本のワイヤを直角に折り曲げた後、さらに折り返すように直角に折り曲げて逆Ｕ字状に形成されている。その引っ掛け部７ｂの水平部分のワイヤは、切起し片９ｅの幅よりも長くなっている。
【００２０】
２つの差込部７ｃは、例えば、引っ掛け部７ｂと同様に、１本のワイヤを直角に折り曲げた後、さらに折り返すように直角に折り曲げてＵ字状に形成されている。差込部７ｃの幅は、支持部１０ａの開口の長手方向の長さと略同じである。なお、前記開口の横手方向の長さは、ワイヤの直径と略同じである。
【００２１】
次に、ファンガード７の取付手順について説明する。
先ず、ファンガード７の下部に設けられたＵ字形状の差込部７ｃを袋形状の支持部１０ａに開口から差し込んで嵌め込むと共に、ファンガード７の引っ掛け部７ｂを電気品箱８の下面に取り付けられた板金部品９の切起し片９ｅに引っ掛ける。
【００２２】
この時、ファンガード７は、上部に設けられた２つの逆Ｕ字形状の固定部７ａが板金部品９のネジ穴９ｄの前に配置された状態で、仮止めされる。この状態において、ネジをファンガード７の２つの固定部７ａにそれぞれ差し込んで、板金部品９のネジ穴にねじ込んで固定する。なお、ファンガード７を取り付けた後は、ファンガード７を覆うようにフィルター６を装着し、次いで、フィルター６を覆うようにフィルターカバー４を室内機本体１に取り付ける。
【００２３】
以上のように実施の形態によれば、ファンガード７は、上部が板金部品９にネジ固定され、下部が補強板金１０の袋形状の支持部１０ａに嵌め込まれるので、上下方向はもちろんのこと、左右・前後方向に動くことなく固定される。このため、室内機の運転中のファンガード７による振動音を抑えることができる。
【００２４】
また、ファンガード７を板金部品９にネジ固定する仕様とすることにより、プラスチック部品にネジ固定していた従来のファンガードと比べ、ネジ穴９ｄのネジ山が潰れたり、クレージングの発生がなくなる。このため、室内機本体１における品質の改善を図ることができる。
【００２５】
また、板金部品９の略中央に切起し片９ｅを設けて、ファンガード７の上部を引っ掛けることができるようにしたので、ネジの取付け・取外しの際もファンガード７が落下するようなことがなくなり、そのため、製造ラインにおける作業性や、納品先でのメンテナンス時の作業性に優れている。
【００２６】
なお、実施の形態では、ファンガード７の上部に２つの固定部７ａ、下部に２つの差込部７ｃを設けたことを述べたが、これは、一例であって限定されるものではない。
【００２７】
また、板金部品９を電気品箱８に取り付けたが、これに代えて、板金部品９を室内機本体１に直接取り付けるようにしても良い。
【符号の説明】
【００２８】
１  室内機本体、２  送風機、３  吹出口、３ａ  羽板、４  フィルターカバー、４ａ  吸気口、５  コントロールパネル、６  フィルター、７  ファンガード、７ａ  固定部、７ｂ  引っ掛け部、７ｃ  差込部、８  電気品箱、９  板金部品、９ａ  水平板、９ｂ  凹部、９ｃ  垂直板、９ｄ  ネジ穴、９ｅ  切起し片、１０  補強板金、１０ａ  袋形状の支持部。
【図１】
2014052096.tif 000003
【図２】
2014052096.tif 000004
【図３】
2014052096.tif 000005